(57)【要約】【課題】音声ピックアップおよび再生機能付きワイヤレスカーソル位置決め装置を提供する。【解決手段】本考案の音声ピックアップおよび再生機能付きワイヤレスカーソル位置決め装置１は、コンピュータ２に接続している受信機２１と通信する送信機を含む。受信機２１は、第２の制御ユニット、復調回路、および第２のオーディオ周波数増幅回路を有する。オーディオ信号は、受信機２１によって受信され、受信機２１のスピーカによって拡声される。あるいは、接続されるコンピュータ２に入力され、コンピュータ２のスピーカによって拡声される。【選択図】図１
0003108395.tif 000002
【実用新案登録請求の範囲】
【請求項１】
第１の筐体と、
前記第１の筐体内に設けられて、コンピュータに接続される受信機と通信する送信機と、を有する音声ピックアップおよび再生機能付きワイヤレスカーソル位置決め装置であって、
前記送信機は、
入力を受けて関連する出力信号を出力する第１の制御ユニットと、
前記第１の制御ユニットと電気的に接続され、説明者の操作の二次元的な動作を検出して前記第１の制御ユニットに入力する位置決め信号を生成するカーソル動作コントローラと、
前記第１の制御ユニットと電気的に接続され、前記第１の制御ユニットからの前記出力信号を変調して、コンピュータカーソルの動作を制御するために、変調された制御信号を前記コンピュータの前記受信機に送信する制御信号送信回路と、
前記第１の筐体に設けられて、前記第１の制御ユニットに電気的に接続され、関連するボタンが押圧されるのに対応して特定の制御信号を作動させる一組のボタンと、
ピックアップ、第１のオーディオ周波数増幅回路、およびオーディオ周波数送信回路を含むオーディオ周波数処理ユニットと、を有しており、
複数の前記ボタンのうちの関連するボタンを押圧して、前記オーディオ周波数処理ユニットを作動させる場合、前記説明者の音声は前記ピックアップによって受け入れられ、前記音声はオーディオ信号として前記第１のオーディオ周波数増幅回路によって増幅され、前記オーディオ周波数送信回路に出力され、前記オーディオ周波数送信回路は増幅された前記オーディオ信号を変調して、前記コンピュータの前記受信機に送信し、
前記受信機は、第２の筐体、第２の制御ユニット、復調回路、および第２のオーディオ周波数増幅回路を有しており、
前記送信機からの前記制御信号および前記オーディオ信号を受ける前記復調回路は、前記オーディオ信号を受ける場合、前記オーディオ信号は前記復調回路によって復調されて前記第２のオーディオ周波数増幅回路に送られ、
前記第２のオーディオ周波数増幅回路は、オーディオ周波数増幅器およびスピーカを含み、入力された前記オーディオ信号を増幅し、増幅された前記オーディオ信号はスピーカに送られ、前記スピーカは、前記説明者の前記音声を拡声することを特徴とする音声ピックアップおよび再生機能付きワイヤレスカーソル位置決め装置。
【請求項２】
前記第２のオーディオ周波数増幅回路は、前記説明者の前記音声を拡声するためのイヤホンを差し込むイヤホンスロットをさらに有することを特徴とする請求項１に記載の音声ピックアップおよび再生機能付きワイヤレスカーソル位置決め装置。
【請求項３】
前記オーディオ信号は、前記コンピュータに入力されるように変換され、前記音声は、前記コンピュータのスピーカ装置を通して拡声されることを特徴とする請求項１に記載の音声ピックアップおよび再生機能付きワイヤレスカーソル位置決め装置。
【考案の詳細な説明】
【技術分野】
【０００１】
本考案は、一般に、音声ピックアップおよび再生機能付きワイヤレスカーソル位置決め装置に関し、当該装置は、コンピュータ周辺機器の入力装置に音声ピックアップ装置を組み合わせたものである。
【背景技術】
【０００２】
コンピュータは、会議での説明のために、ますます一般に使われるようになっている。コンピュータは、投影シートを用いることなく、生き生きとしたパフォーマンスを提供することができる。しかしながら、説明が円滑に進行するかどうかは、コンピュータを簡単に使えるかどうかに依存する。説明者が一人でコンピュータのソフトウェアを操作する間、説明者のパフォーマンスは制限され得る。あるいは、説明者に同伴する他の誰かを必要とし得る。これらはともに、十分に良いというものではない。
【０００３】
したがって、従来のワイヤレスコンピュータカーソル制御装置は、説明者が手で持つことができるように提供されている。その結果、コンピュータは、赤外線（ＩＲ）あるいは無線周波数（ＲＦ）伝送を介して制御される。しかしながら、単一のカーソル制御機能のみを有し、いかなる特別な機能も有しない従来の装置は、十分なものではない。したがって、さらなる改良が依然として必要とされている。
【０００４】
さらに、説明者は、より良いパフォーマンスのために、聴衆の周りを常に歩く。音声ピックアップ装置がなければ、説明者が動くことによって音源もまた動くこととなる。したがって、遠くの人々が説明者の声をはっきりと聴き取れないということが常に存在し得る。たとえ、音声ピックアップ装置が準備されたとしても、説明者は、音声ピックアップ装置とワイヤレスカーソル制御装置の両方を手に持たなければならない。これは明らかに、便利なことではない。
【考案の開示】
【考案が解決しようとする課題】
【０００５】
本考案の目的は、音声ピックアップおよび再生機能付きワイヤレスカーソル位置決め装置を提供することである。
【課題を解決するための手段】
【０００６】
上記目的を達成するための本考案は、以下の構成を有する。
【０００７】
（１）  第１の筐体と、前記第１の筐体内に設けられて、コンピュータに接続される受信機と通信する送信機と、を有しており、前記送信機は、入力を受けて関連する出力信号を出力する第１の制御ユニットと、前記第１の制御ユニットと電気的に接続され、説明者の操作の二次元的な動作を検出して前記第１の制御ユニットに入力する位置決め信号を生成するカーソル動作コントローラと、前記第１の制御ユニットと電気的に接続され、前記第１の制御ユニットからの前記出力信号を変調して、コンピュータカーソルの動作を制御するために、変調された制御信号を前記コンピュータの前記受信機に送信する制御信号送信回路と、前記第１の筐体に設けられて、前記第１の制御ユニットに電気的に接続され、関連するボタンが押圧されるのに対応して特定の制御信号を作動させる一組のボタンと、ピックアップ、第１のオーディオ周波数増幅回路、およびオーディオ周波数送信回路を含むオーディオ周波数処理ユニットと、を有しており、複数の前記ボタンのうちの関連するボタンを押圧して、前記オーディオ周波数処理ユニットを作動させる場合、前記説明者の音声は前記ピックアップによって受け入れられ、前記音声はオーディオ信号として前記第１のオーディオ周波数増幅回路によって増幅され、前記オーディオ周波数送信回路に出力され、前記オーディオ周波数送信回路は増幅された前記オーディオ信号を変調して、前記コンピュータの前記受信機に送信し、前記受信機は、第２の筐体、第２の制御ユニット、復調回路、および第２のオーディオ周波数増幅回路を有しており、前記送信機からの前記制御信号および前記オーディオ信号を受ける前記復調回路は、前記オーディオ信号を受ける場合、前記オーディオ信号は前記復調回路によって復調されて前記第２のオーディオ周波数増幅回路に送られ、前記第２のオーディオ周波数増幅回路は、オーディオ周波数増幅器およびスピーカを含み、入力された前記オーディオ信号を増幅し、増幅された前記オーディオ信号はスピーカに送られ、前記スピーカは、前記説明者の前記音声を拡声することを特徴とする。
【０００８】
（２）  前記第２のオーディオ周波数増幅回路は、前記説明者の前記音声を拡声するためのイヤホンを差し込むイヤホンスロットをさらに有する。
【０００９】
（３）  前記オーディオ信号は、前記コンピュータに入力されるように変換され、前記音声は、前記コンピュータのスピーカ装置を通して拡声される。
【考案の効果】
【００１０】
本考案によれば、ワイヤレスカーソル位置決め装置は、コンピュータカーソルを制御する機能を有するだけでなく、音声ピックアップ装置としての機能を有する。
【００１１】
したがって、音声ピックアップ装置がない場合、説明者は、本装置をワイヤレスカーソル制御装置および音声ピックアップ装置の両方として容易に使用することができる。
【考案を実施するための最良の形態】
【００１２】
本考案の特徴は他の特徴と同様に、添付の図面を参照することによって明瞭になる。以下、図面を参照しつつ、本考案の実施の形態を説明する。なお、本明細書および実用新案登録請求の範囲中の「音声」は、人が出す声だけでなく、その他の音を含む。
【００１３】
図１は、本考案の音声ピックアップおよび再生機能付きワイヤレスカーソル位置決め装置（以下、ピックアップ機能付きワイヤレスコンピュータカーソル制御装置）の使用形態を示す図である。本考案のピックアップ機能付きワイヤレスコンピュータカーソル制御装置１は、遠隔コントローラおよびワイヤレスマウスと類似した操作を伴う携帯型装置である。音声ピックアップ機能付きワイヤレスコンピュータカーソル制御装置１は、第１の筐体と送信機とを含む。さらに、受信機２１を通して、図１に示されるラップトップコンピュータのようなコンピュータ２を遠隔で制御するための複数の機能ボタンが、前記第１の筐体に取り付けられている。なお、コンピュータ２は、前記ラップトップコンピュータに限定されず、他のデスクトップパソコン、パネルコンピュータ、および携帯型のコンピュータなどであってもよい。
【００１４】
図２に示されるとおり、前記送信機の回路図は、第１の制御ユニット１１、制御信号送信回路１２、一組のボタン１３、オーディオ周波数処理ユニット１４、および二次元のカーソル動作コントローラ１５を含む。マイクロプロセッサＵ１を含む第１の制御ユニット１１は、制御信号送信回路１２、ボタン１３、オーディオ周波数処理ユニット１４、およびカーソル動作コントローラ１５に接続される。ボタン１３は、複数のスイッチを含み、好ましい本実施の形態においては、たとえばページのアップ／ダウンあるいは左／右への移動などのような特定の機能制御を提供するＳ１〜Ｓ１０の１０個のスイッチを含む。第１の制御ユニット１１は、複数のボタン１３が押圧されると入力を受けて、関連する出力信号を制御信号送信回路１２に出力することができる。
【００１５】
次に、制御信号送信回路１２は、第１の制御ユニット１１からの前記出力信号を変調して、ＩＲまたはＲＦ信号のような変調信号をコンピュータ２に送信する。カーソル動作コントローラ１５によって、利用者は、コンピュータカーソルの動作を制御することができる。なお、カーソル動作コントローラ１５自体は、一般のカーソル動作コントローラと同様であるので、以下、簡単に説明する。カーソル動作コントローラ１５は、ボールボタンまたはジャイロスタットのボールを含む。ボールが動作しているときに、カーソル動作コントローラ１５は、動作の方向を計算することによって、位置決め信号を生成することができる。次に、前記位置決め信号は、第１の制御ユニット１１に送られ、制御信号送信回路１２に出力するためのシリアル信号として入力される。制御信号送信回路１２において前記信号は変調され、ＩＲまたはＲＦ信号として送信されて、コンピュータ２の受信機２１によって受信される。コンピュータ２による復調の後、コンピュータカーソルは、音声ピックアップ機能付きワイヤレスコンピュータカーソル制御装置１の制御の下に動作される。
【００１６】
オーディオ周波数処理ユニット１４は、ピックアップＭＰ１、第１のオーディオ周波数増幅回路１４１、およびオーディオ周波数送信回路１４２を含む。複数のボタン１３のうちの対応するボタンが押圧されて、オーディオ周波数処理ユニット１４が作動すると、説明者の音声はピックアップＭＰ１によって受け入れられ、前記音声はオーディオ信号として、第１のオーディオ周波数増幅回路１４１によって増幅されてオーディオ周波数送信回路１４２に出力される。同様に、オーディオ周波数送信回路１４２は、増幅された前記オーディオ信号を変調して、ＩＲまたはＲＦ信号として送信する。
【００１７】
図３は、本考案の音声ピックアップ機能付きワイヤレスコンピュータカーソル制御装置１用の受信機２１の回路図である。受信機２１は、第２の筐体と接続ポートＦ１とを有する。接続ポートＦ１は、たとえば、ＵＳＢポートのようなもので、コンピュータ２の対応するポートに接続される。さらに、受信機２１は、第２の制御ユニット２１１、復調回路２１２、および、第２のオーディオ周波数増幅回路２１３を含む。マイクロプロセッサＵ４を含む第２の制御ユニット２１１は、復調回路２１２および第２のオーディオ周波数増幅回路２１３に接続される。前記位置決め信号およびボタン押圧信号を含む制御信号と、前記オーディオ信号とは、復調回路２１によって受けられ、復調される。
【００１８】
前記制御信号が受けられる場合、前記制御信号は、第２の制御ユニット２１１に送られ、接続ポートＦ１を介してコンピュータ２に入力されるのに適当なインタフェース信号に変換される。その結果、コンピュータ２は、応答して前記制御信号と通信する。一方、前記音声信号が受けられる場合、前記音声信号は、復調回路２１２によって復調されて、第２のオーディオ周波数増幅回路２１３に送られる。第２のオーディオ周波数増幅回路２１３は、オーディオ周波数増幅器、スピーカＬＳ１、およびイヤホンスロットＦ２を含む。前記オーディオ周波数増幅器は、入力された前記オーディオ信号を増幅し、増幅された前記オーディオ信号はスピーカＬＳ１に送られて、スピーカＬＳ１によって拡声される。
【００１９】
さらに、音声を拡声するために、複数のボタン１３の一つを押圧して、スピーカＬＳ１と（イヤホンスロットＦ２に差し込んだ後の）イヤホンとを選択的に切り替えてもよい。あるいは、スピーカＬＳ１および前記イヤホンから、（前記オーディオ信号を適当なインタフェース信号に変換し、接続ポートＦ１を介してコンピュータ２に入力した後の）コンピュータ２のスピーカ装置に切り替えてもよい。すなわち、ピックアップ機能付きワイヤレスコンピュータカーソル制御装置１は、ワイヤレス音声ピックアップ装置としての役割も果たすことができる。説明者の音声は、受信機２１によって直接拡声され、または、受信機２１が接続するコンピュータ２によって拡声されることができる。
【００２０】
この開示は、本考案の代表的な一実施の形態を提供するものである。本考案の範囲は、この代表的な実施の形態によって制限されるものではない。明細書によって明示的に提供されようが、明細書によって暗示されようが、構造、寸法、材料の種類、および製造工程における変形例のような多数の変形例は、この開示の観点から、同じ技術分野における通常の知識を有する者によって実行され得る。
【図面の簡単な説明】
【００２１】
【図１】本考案の音声ピックアップおよび再生機能付きワイヤレスカーソル位置決め装置の使用形態を示す図である。
【図２】本考案の音声ピックアップ機能付きワイヤレスコンピュータカーソル制御装置用の送信機の回路図である。
【図３】本考案の音声ピックアップ機能付きワイヤレスコンピュータカーソル制御装置用の受信機の回路図である。
【符号の説明】
【００２２】
１    音声ピックアップ機能付きワイヤレスコンピュータカーソル制御装置、
２    コンピュータ、
１１，２１１    制御ユニット、
１２    制御信号送信回路、
１３    ボタン、
１４    オーディオ周波数処理ユニット、
１５    カーソル動作コントローラ、
２１    受信機、
１４１，２１３    オーディオ周波数増幅回路、
１４２    オーディオ周波数送信回路、
２１２    復調回路。
【図１】
0003108395.tif 000003
【図２】
0003108395.tif 000004
【図３】
0003108395.tif 000005